(57)【要約】【課題】  搬送を利用しながら紙葉類を搬送方向に対し直交する方向に走査して情報検出を行うことができ、その上で、紙葉類の搬送方向における大型化を防止することができる紙葉類検出装置の提供。【解決手段】  紙葉類１５の搬送方向に対して斜めに配置された複数のセンサ２８を、紙葉類１５の搬送方向に対して直交する方向に一列状に配置することで、紙葉類１５の搬送方向における大型化を防止する。【選択図】        図２
2006171953.tif 000002
【特許請求の範囲】
【請求項１】
紙葉類の搬送方向に対して斜めに配置された複数のセンサを、紙葉類の搬送方向に対して直交する方向に一列状に配置してなることを特徴とする紙葉類検出装置。
【請求項２】
前記複数のセンサの傾斜方向が全て同一とされ、隣り合う前記センサ同士が、紙葉類の搬送方向から見て連続していることを特徴とする請求項１記載の紙葉類検出装置。
【請求項３】
前記各センサの出力信号をそれぞれ記憶する複数のメモリ手段と、これらメモリ手段からの信号を、連続的な信号として合成する合成手段と、該合成手段によって合成された信号に基づき、紙葉類の真偽を識別する識別手段とを有することを特徴とする請求項２記載の紙葉類検出装置。
【請求項４】
隣り合う前記センサ同士が、紙葉類の搬送方向から見て互いに近接する端部同士を重ね合わせていることを特徴とする請求項２記載の紙葉類検出装置。
【請求項５】
前記各センサの出力信号をそれぞれ記憶する複数のメモリ手段と、これらメモリ手段からの信号を、隣り合うセンサ同士の一部重なり合ったデータのいずれか一方または両方の一部を用いて連続的な信号として合成する合成手段と、該合成手段によって合成された信号に基づき、紙葉類の真偽を識別する識別手段とを有することを特徴とする請求項４記載の紙葉類検出装置。
【請求項６】
前記識別手段は、さらに、前記一部重なり合ったデータ同士の一致度を識別することを特徴とする請求項５記載の紙葉類検出装置。
【請求項７】
前記複数のセンサが、紙葉類に設けられたセキュリティスレッドを検出するものであることを特徴とする請求項１乃至６のいずれか一項記載の紙葉類検出装置。
【請求項８】
前記複数のセンサが、紙葉類の磁気インクを検出するものであることを特徴とする請求項１乃至７のいずれか一項記載の紙葉類検出装置。
【発明の詳細な説明】
【技術分野】
【０００１】
本発明は、紙葉類を検出する紙葉類検出装置に関する。
【背景技術】
【０００２】
紙幣等の紙葉類において偽造防止や金種識別等の目的からセキュリティスレッドを設けることがある。つまり、例えば所定の磁気的性質を有するセキュリティスレッドを紙葉類に設けておくことで、このセキュリティスレッドの検出の有無で紙葉類の真偽等を識別したり、その磁気的性質から金種を識別したりするのである。
【０００３】
このようなセキュリティスレッドには、磁気の強弱等でコード化された情報を長さ方向に配列して設けたものがある。このようにセキュリティスレッドにその長さ方向に配列して情報を設けると、検出側は、セキュリティスレッドを長さ方向に走査して検出を行う必要がある。セキュリティスレッドが紙葉類の搬送方向に沿っている場合は、セキュリティスレッドの通過位置に磁気センサ装置を設ければ、この磁気センサ装置で紙葉類の搬送を利用した走査が可能となる。しかし、セキュリティスレッドが紙葉類の搬送方向に対し直交している場合には、このような磁気センサ装置では紙葉類の搬送を利用した走査ができない。このため、直線状の磁気センサ装置を紙葉類の搬送方向に対して斜めに配置することで、セキュリティスレッドが紙葉類の搬送方向に対し直交している場合でも、紙葉類の搬送を利用した走査を可能とする技術がある（例えば特許文献１参照）。
【特許文献１】特開平９−２４６８６号公報
【発明の開示】
【発明が解決しようとする課題】
【０００４】
しかしながら、上記のように、直線状の磁気センサ装置を紙葉類の搬送方向に対して斜めに配置するものでは、磁気センサ装置の配置スペースが特に紙葉類の搬送方向に広がってしまうため、装置の大きさがこの方向に大型化してしまうという問題があった。このような問題は、上記したセキュリティスレッドの検出に関わらず、搬送を利用しながら紙葉類を搬送方向に対し直交する方向に走査して情報検出を行う場合において生じる共通の問題である。
【０００５】
したがって、本発明は、搬送を利用しながら紙葉類を搬送方向に対し直交する方向に走査して情報検出を行うことができ、その上で、紙葉類の搬送方向における大型化を防止することができる紙葉類検出装置の提供を目的とする。
【課題を解決するための手段】
【０００６】
上記目的を達成するために、請求項１に係る発明は、紙葉類の搬送方向に対して斜めに配置された複数のセンサを、紙葉類の搬送方向に対して直交する方向に一列状に配置してなることを特徴としている。
【０００７】
請求項２に係る発明は、請求項１に係る発明において、前記複数のセンサの傾斜方向が全て同一とされ、隣り合う前記センサ同士が、紙葉類の搬送方向から見て連続していることを特徴としている。
【０００８】
請求項３に係る発明は、請求項２に係る発明において、前記各センサの出力信号をそれぞれ記憶する複数のメモリ手段と、これらメモリ手段からの信号を、連続的な信号として合成する合成手段と、該合成手段によって合成された信号に基づき、紙葉類の真偽を識別する識別手段とを有することを特徴としている。
【０００９】
請求項４に係る発明は、請求項２に係る発明において、隣り合う前記センサ同士が、紙葉類の搬送方向から見て互いに近接する端部同士を重ね合わせていることを特徴としている。
【００１０】
請求項５に係る発明は、請求項４に係る発明において、前記各センサの出力信号をそれぞれ記憶する複数のメモリ手段と、これらメモリ手段からの信号を、隣り合うセンサ同士の一部重なり合ったデータのいずれか一方または両方の一部を用いて連続的な信号として合成する合成手段と、該合成手段によって合成された信号に基づき、紙葉類の真偽を識別する識別手段とを有することを特徴としている。
【００１１】
請求項６に係る発明は、請求項５に係る発明において、前記識別手段は、さらに、前記一部重なり合ったデータ同士の一致度を識別することを特徴としている。
【００１２】
請求項７に係る発明は、請求項１乃至６のいずれか一項に係る発明において、前記複数のセンサが、紙葉類に設けられたセキュリティスレッドを検出するものであることを特徴としている。
【００１３】
請求項８に係る発明は、請求項１乃至７のいずれか一項に係る発明において、前記複数のセンサが、紙葉類の磁気インクを検出するものであることを特徴としている。
【発明の効果】
【００１４】
請求項１に係る発明によれば、センサを紙葉類の搬送方向に対して斜めに配置することで、搬送を利用しながら紙葉類を搬送方向に対し直交する方向に走査して情報検出を行うことが可能となる。その際に、複数のセンサに分け、これら複数のセンサを紙葉類の搬送方向に対して直交する方向に一列状に配置することで、搬送方向における大型化を防止することができる。したがって、搬送を利用しながら紙葉類を搬送方向に対し直交する方向に走査して情報検出を行うことができ、その上で紙葉類の搬送方向における大型化を防止することができる。
【００１５】
請求項２に係る発明によれば、隣り合うセンサ同士が、紙葉類の搬送方向から見て連続しているため、複数のセンサとしても、センサ間で読み取り不可な部分がなく、連続的なデータとして検出可能となる。しかも、複数のセンサの傾斜方向が全て同一とされていることから、複数のセンサを紙葉類の搬送方向に対して直交する方向に一列状に配置しても、センサ同士の干渉を防止しつつ、紙葉類の搬送方向から見て連続するように配置できる。
【００１６】
請求項３に係る発明によれば、複数のメモリ手段が各センサの出力信号をそれぞれ記憶して、合成手段がこれらメモリ手段からの信号を連続的な信号として合成し、識別手段がこの合成された信号に基づいて紙葉類の真偽を識別する。したがって、紙葉類の搬送方向に対し直交する方向に走査した連続的なデータを作成でき、これに基づいて紙葉類の真偽を識別できる。
【００１７】
請求項４に係る発明によれば、隣り合うセンサ同士が、紙葉類の搬送方向から見て互いに近接する端部同士を重ね合わせているため、複数のセンサとしても、センサ間で読み取り不可な部分がなく、しかも、一部重なり合ったデータで位相合わせを行うことができ、連続的なデータとして確実に検出可能となる。しかも、複数のセンサの傾斜方向が全て同一とされていることから、複数のセンサを紙葉類の搬送方向に対して直交する方向に一列状に配置しても、センサ同士の干渉を防止しつつ、紙葉類の搬送方向から見て近接する端部同士を重ね合わせるように配置できる。加えて、重なり合った部分の一致度を検出することも可能となる。
【００１８】
請求項５に係る発明によれば、複数のメモリ手段が各センサの出力信号をそれぞれ記憶して、合成手段がこれらメモリ手段からの信号を、一部重なり合ったデータのいずれか一方または両方の一部を用いて連続的な信号として合成し、識別手段がこの合成された信号に基づいて紙葉類の真偽を識別する。したがって、紙葉類の搬送方向に対し直交する方向に走査した連続的なデータを作成でき、これに基づいて紙葉類の真偽を識別できる。
【００１９】
請求項６に係る発明によれば、識別手段が、一部重なり合ったデータ同士の一致度を識別するため、さらに詳しく紙葉類の真偽を識別することができる。
【００２０】
請求項７に係る発明によれば、複数のセンサが、紙葉類に設けられたセキュリティスレッドを検出するものであるため、紙葉類の搬送方向に大型化することなく、セキュリティスレッドの情報を検出することができる。
【００２１】
請求項８に係る発明によれば、複数のセンサが、紙葉類の磁気インクを検出するものであるため、紙葉類の搬送方向に大型化することなく、磁気インクの分布情報等を検出することができる。
【発明を実施するための最良の形態】
【００２２】
本発明の第１実施形態の紙葉類検出装置を図１〜図４を参照して以下に説明する。
第１実施形態の紙葉類検出装置１１は、図１に示すように、紙葉類として紙幣を取り扱う紙幣取扱機１２に組み込まれ、この紙幣取扱機１２の搬送部１３で搬送される紙幣を検出するものである。第１実施形態の紙葉類検出装置１１は、具体的には、図２に示すように紙幣１５に設けられたセキュリティスレッド１６を検出する。
【００２３】
図１に示すように、第１実施形態の紙葉類検出装置１１が設けられる紙幣取扱機１２は、例えば、投入口２０に投入された紙幣を、一枚ずつに分離した状態で、搬送部１３によってそれぞれの長手方向を搬送方向に沿わせた状態で搬送する。そして、搬送中に、紙幣を、紙葉類検出装置１１で真偽および金種を識別し計数した後に、偽紙幣は返却口１９へ返却させる一方、真紙幣は一時貯留部２１に金種別に分類して一時貯留させ、その後、金種別に分類した状態で収納部２２に収納する。
【００２４】
紙幣１５には、図２に示すように、その長手方向に直交する方向つまりその上下方向に沿って延在するように上記したセキュリティスレッド１６が形成されている。紙幣１５は上記のようにその長手方向に沿って搬送されることから、言い換えれば、紙幣１５にはその搬送方向に対し直交する方向にセキュリティスレッド１６が形成されている。このセキュリティスレッド１６は、メタルスレッドであり、磁性の強弱等でコード化された情報が、その延在方向に配列されて保持されている。ここで、セキュリティスレッド１６が保持する情報は、具体的には紙幣１５の金種毎に異なる金種情報である。なお、一枚の紙幣１５のセキュリティスレッド１６には、同じ情報が、複数、その延在方向に繰り返すように並べられて保持されている。
【００２５】
第１実施形態の紙葉類検出装置１１は、図１に示すように、紙幣取扱機１２の搬送部１３における紙幣１５を直線状に搬送させる部分に設けられて、直線状に移動する紙幣１５を表裏方向の一側から検出する。紙葉類検出装置１１は、図２に示すように、複数の同一構造の磁気センサ装置２５を有するセンサアレイ２６を備えている。各磁気センサ装置２５は、図３に示すように、細長い長方形状をなす基板２７上に、基板２７よりも幅の狭い長方形状をなす検出コイル（センサ）２８が、互いに長手方向を一致させて設けられており、基板２７の検出コイル２８とは反対側に励磁用磁石２９が設けられている。
【００２６】
センサアレイ２６は、搬送部１３で搬送される紙幣１５の表面および裏面のいずれか一方の面に対向するように配置されるもので、図２に示すように、上記のような磁気センサ装置２５を、複数（図示例は６個）、紙幣搬送方向に対し直交する方向に並べている。このとき、すべての磁気センサ装置２５は、搬送部１３で搬送される紙幣１５の表面および裏面のいずれか一方の面にそれぞれの検出コイル２８を対向させるように配置されることになる。また、すべての磁気センサ装置２５は、それぞれの検出コイル２８を、高さ位置を合わせ、紙幣搬送方向における位置を合わせて、紙幣搬送方向に対し直交する方向に等ピッチで並べている。
【００２７】
しかも、すべての磁気センサ装置２５は、長方形状の検出コイル２８がその長手方向を紙幣搬送方向に対して所定角度（例えば４５度）で傾斜させるように配置されることになる。以上により、紙幣１５の搬送方向に対して斜めに配置された複数の検出コイル２８が、紙幣１５の搬送方向に対して直交する方向に一列状に配置されている。
【００２８】
ここで、すべての検出コイル２８は、紙幣搬送方向に対する傾斜方向および傾斜角度が同一とされる。しかも、すべての検出コイル２８は、隣り合うもの同士が、紙幣搬送方向から見て互いに近接する側の末端同士の位置を一致させている。つまり、すべての検出コイル２８は、紙幣１５の搬送方向から見て隣り合うもの同士が連続するように配置されている。なお、最も両外側の検出コイル２８は、搬送部１３で搬送される紙幣１５よりも両外側に突出するように配置される。
【００２９】
そして、上記したセンサアレイ２６のすべての磁気センサ装置２５の検出コイル２８が、図４に示すように、それぞれ個別の記憶部（メモリ手段）３１に連結されている。これら複数の記憶部３１は、対応する検出コイル２８の出力信号をそれぞれ記憶する。
【００３０】
すべての記憶部３１は、信号合成部（合成手段）３２に接続されており、信号合成部３２は、搬送部１３による紙幣１５の搬送速度と、各検出コイル２８の傾斜角度と、各検出コイル２８による検出部分の長さとに基づいて、各記憶部３１からの信号を、連続的な一つの信号として合成する。
【００３１】
具体的に、ある紙幣１５が搬送部１３で搬送されてセンサアレイ２６を通過する際に、複数の検出コイル２８によりセキュリティスレッド１６が延在方向において複数の検出部分に分割されて検出されることになる。このとき、各検出コイル２８は、それぞれの傾斜によってセキュリティスレッド１６の検出部分をその延在方向に沿って走査することになる。
【００３２】
つまり、セキュリティスレッド１６の各検出部分は、紙幣１５の搬送にしたがって、対応する検出コイル２８の搬送方向上流となる上流部２８ａの側から下流部２８ｂの側に向けて移動することになり、そのときに、検出コイル２８が傾斜していることから、検出コイル２８との交差部分を延在方向の一側（上流部２８ａ側、図２右側）から延在方向の逆側（下流部２８ｂの側、図２左側）に移動させることになる。このようにして、セキュリティスレッド１６の各検出部分が各検出コイル２８でそれぞれ延在方向に走査される。
【００３３】
そして、すべての検出コイル２８のうち、セキュリティスレッド１６の延在方向において、一つの検出コイル２８で下流部２８ｂに対し上流部２８ａが配置される側（図２右側）の端部に配置される検出コイル２８の信号から、逆側（図２左側）の端部に配置される検出コイル２８の信号まで、搬送部１３による紙幣１５の搬送速度と、検出コイル２８の傾斜角度と、検出コイル２８による検出部分の長さと、検出コイル２８の順番とに基づいた時間分、位相をずらしながら、信号を順次繋ぎ合わせる。これにより、セキュリティスレッド１６を延在方向に連続的に走査した信号と同様の信号を得る。この信号は、セキュリティスレッド１６が保持するコード化された磁気情報と対応するパターンの信号波形となる。
【００３４】
このようにして、信号合成部３２で連続的な一つの信号として合成された信号が、識別部（識別手段）３３に導入されることになり、識別部３３では、この導入された信号に基づいて、セキュリティスレッド１６の読み取ったコード等から、紙幣１５の真偽および金種を識別し、その結果を紙幣取扱機１２側の図示略の制御部に出力する。この制御部では、センサアレイ２６で検出された紙幣が偽紙幣である場合、返却口１９に返却させることになり、センサアレイ２６で検出された紙幣が真紙幣である場合、その金種から計数等を行って一時貯留部２１に一時貯留させ、その後、収納部２２に収納させることになる。
【００３５】
以上に述べた第１実施形態の紙葉類検出装置１１によれば、検出コイル２８を紙幣１５の搬送方向に対して斜めに配置することで、搬送を利用しながら紙幣１５を搬送方向に対し直交する方向に走査してセキュリティスレッド１６の情報検出を行うことができる。その際に、複数の検出コイル２８に分け、これら複数の検出コイル２８を紙幣１５の搬送方向に対して直交する方向に一列状に配置することで、搬送方向における大型化を防止することができる。したがって、搬送を利用しながら紙幣１５を搬送方向に対し直交する方向に走査して情報検出を行うことができ、その上で紙幣１５の搬送方向における大型化を防止することができる。
【００３６】
また、隣り合う検出コイル２８同士が、紙幣１５の搬送方向から見て連続しているため、複数の検出コイル２８としても、検出コイル２８間で読み取り不可な部分がなく、連続的なデータとして検出可能となる。具体的には、複数の記憶部３１が各検出コイル２８の出力信号をそれぞれ記憶して、信号合成部３２がこれら記憶部３１からの信号を連続的な信号として合成し、識別部３３がこの合成された信号に基づいて紙幣１５の真偽および金種を識別する。したがって、セキュリティスレッド１６を紙幣１５の搬送方向に対し直交する方向に走査した連続的なデータを作成でき、これに基づいて紙幣１５の真偽を識別できる。
【００３７】
しかも、複数の検出コイル２８の傾斜方向が全て同一とされていることから、複数の検出コイル２８を紙幣１５の搬送方向に対して直交する方向に一列状に配置しても、検出コイル２８同士の干渉を防止しつつ、紙幣１５の搬送方向から見て検出コイル２８を連続させるように配置できる。
【００３８】
さらに、複数の検出コイル２８が、紙幣１５に設けられたセキュリティスレッド１６を検出するものであるため、紙幣１５の搬送方向に大型化することなく、セキュリティスレッド１６の情報を検出することができる。
【００３９】
次に、本発明の第２実施形態の紙葉類検出装置１１を主に図５を参照して第１実施形態との相違部分を中心に説明する。なお、第１実施形態と同様の部分には同一の符号を付しその説明は略す。
【００４０】
第２実施形態の紙葉類検出装置１１は、第１実施形態に対しセンサアレイ２６が異なっている。
第２実施形態の紙葉類検出装置１１のセンサアレイ２６は、第１実施形態と同様の磁気センサ装置２５を、複数（図示例は９個）、第１実施形態と同様に検出コイル２８を並べて構成されているが、すべての検出コイル２８は、隣り合うもの同士が、紙幣１５の搬送方向から見て互いに近接する端部同士を所定長重ね合わせている。つまり、この第２実施形態においても、すべての検出コイル２８は、隣り合うもの同士が紙幣１５の搬送方向から見て連続するように配置されていることになる。
【００４１】
第２実施形態では、隣り合う検出コイル２８同士が、紙幣１５の搬送方向から見て互いに近接する端部同士を所定長重ね合わせていることから、隣り合う検出コイル２８の信号は、紙幣１５の搬送方向から見て互いに重なり合う端部で検出される一部のデータが、同じデータとなる（この隣り合う検出コイル２８同士の一部重なり合ったデータ部分を重なりデータ部と称す）。
【００４２】
そして、第２実施形態においても、信号合成部３２が、各検出コイル２８に接続された各記憶部３１からの信号を、搬送部１３による紙幣１５の搬送速度等に基づいて、連続的な一つの信号として合成することになるが、その際に、重なりデータ部を用いて信号の位相合わせを行い、その後、重なりデータ部のいずれか一方を用いて連続的な信号として合成する。なお、重なりデータ部の両方の一部を用いて連続的な信号として合成しても良い。
【００４３】
具体的に、すべての検出コイル２８のうち、セキュリティスレッド１６の延在方向において、一つの検出コイル２８で下流部２８ｂに対し上流部２８ａが配置される側（図５右側）の端部に配置される検出コイル２８の信号から、逆側（図５左側）の端部に配置される検出コイル２８の信号まで、搬送部１３による紙幣１５の搬送速度と、検出コイル２８の傾斜角度と、検出コイル２８による検出部分の長さと、検出コイル２８の順番とに基づいた時間分、位相をずらしつつ、重なりデータ部の位相を合わせるようにした後、重なりデータ部のうち予め設定された側の重なりデータ部を除去するようにして、信号を順次繋ぎ合わせる。これにより、セキュリティスレッド１６を延在方向に連続的に走査した信号と同様の、セキュリティスレッド１６が保持するコード化された磁気情報に対応するパターンの信号を得る。
【００４４】
このようにして、信号合成部３２で連続的な一つの信号として合成された信号が、識別部３３に導入されることになり、識別部３３では、この導入された信号に基づいて、セキュリティスレッド１６の読み取ったコード等から、紙幣１５の真偽および金種を識別し、その結果を紙幣取扱機１２側の図示略の制御部に出力する。このとき、識別部３３は、重なりデータ部同士の一致度を、すべての重なりデータ部について識別し、少なくともいずれか一つの一致度が所定値を下回れば、検出したセキュリティスレッド１６に何らかの異常があり偽紙幣の可能性があると判定してエラー信号を紙幣取扱機１２側の制御部に出力する。
【００４５】
以上に述べた第２実施形態の紙葉類検出装置１１によれば、紙幣１５の搬送方向から見て隣り合う検出コイル２８が互いに近接する端部同士を所定長重ね合わせているため、複数の検出コイル２８としても、検出コイル２８間で読み取り不可な部分がなく、重なりデータ部で位相合わせをすることで、連続的なデータとして確実に検出可能となる。具体的に、複数の記憶部３１が各検出コイル２８の出力信号をそれぞれ記憶して、信号合成部３２が、これら記憶部３１からの信号を、重なりデータ部のいずれか一方を用いて連続的な信号として合成し、識別部３３がこの合成された信号に基づいて紙幣の真偽および金種を識別する。したがって、第１実施形態と同様に、セキュリティスレッド１６を紙幣１５の搬送方向に対し直交する方向に走査した連続的なデータを作成でき、これに基づいて紙幣１５の真偽を識別できる。
【００４６】
しかも、複数の検出コイル２８の傾斜方向が全て同一とされていることから、第１実施形態と同様、複数の検出コイル２８を紙幣１５の搬送方向に対して直交する方向に一列状に配置しても、検出コイル２８同士の干渉を防止しつつ、紙幣１５の搬送方向から見て近接する端部同士を所定長重ね合わせるように配置できる。
【００４７】
その上、識別部３３が、重なりデータ部同士の一致度を識別するため、さらに詳しく紙幣１５の真偽を識別することができる。
【００４８】
なお、以上の第１，第２実施形態の紙葉類検出装置１１においては、複数の検出コイル２８が磁気情報を保持するセキュリティスレッド１６を検出する場合を例にとり説明したが、磁気情報を保持する部分があれば、例えば磁気インクの印刷パターンを検出することも勿論可能である。この場合も、紙幣搬送方向に大型化することなく、磁気インクの分布情報等を検出することができる。
【００４９】
さらに、第１，第２実施形態の紙葉類検出装置１１について、磁気情報を保持するセキュリティスレッド１６ではなく、図６に示すように、紙幣３７において光学的な情報を保持するセキュリティスレッド３８を検出するように変更することもできる。この場合は、長方形状をなす光源４０および受光部（センサ）４１を長さ方向の位置を合わせて隣り合うように基板４２に設けた光学センサ装置４３を、光源４０および受光部４１が上記した検出コイル２８と同様の状態になるように配置すれば良い。例えばプラスチックのセキュリティスレッドに蛍光塗料がパターン状に塗布されたものを検出する場合は、光源４０として紫外線源を用いて受光部４１で蛍光の発光を検出することになる。
【００５０】
また、第１，第２実施形態の紙葉類検出装置１１のいずれにおいても、搬送方向に沿って延在するセキュリティスレッドを備えた紙幣が混在する場合についても、このセキュリティスレッドをも延在方向に走査できる。
【００５１】
さらに、第１，第２実施形態の紙葉類検出装置１１のいずれにおいても、複数の検出コイル２８を上記した姿勢となるように一つの基板に設けても良い。
加えて、紙幣を検出するものに限らず、他の種々の紙葉類を検出可能である。
【図面の簡単な説明】
【００５２】
【図１】本発明の第１実施形態の紙葉類検出装置が適用された紙幣取扱機を概略的に示す側面図である。
【図２】本発明の第１実施形態の紙葉類検出装置のセンサアレイと紙幣を示す平面図である。
【図３】本発明の第１実施形態の紙葉類検出装置の磁気センサを示す斜視図である。
【図４】本発明の第１実施形態の紙葉類検出装置の全体構成を示すブロック図である
【図５】本発明の第２実施形態の紙葉類検出装置のセンサアレイと紙幣を示す平面図である。
【図６】本発明の紙葉類検出装置のセンサアレイの別の例を示す平面図である。
【符号の説明】
【００５３】
１５，３７  紙幣（紙葉類）
１６，３８  セキュリティスレッド
２８  検出コイル（センサ）
３１  記憶部（メモリ手段）
３２  信号合成部（合成手段）
３３  識別部（識別手段）
４１  受光部（センサ）
【図１】
2006171953.tif 000003
【図２】
2006171953.tif 000004
【図３】
2006171953.tif 000005
【図４】
2006171953.tif 000006
【図５】
2006171953.tif 000007
【図６】
2006171953.tif 000008